(57)【要約】【課題】  デジタルカメラで撮影した画像をテレビで高画質に見るために行なう画質調整操作を軽減する。【解決手段】  カードスロット１０９及び画像データ入力部１０５を介してデジタルカメラの撮影画像をその撮影条件と共に取り込む。記憶１１３には、過去に画像処理を行った画像の画質調整条件が記憶されている。表示制御部１１０は、取り込んだ画像データの撮影日時及び撮影条件情報が同じ又は近似する情報が記憶部１１３にあるかどうかを調べる。同じ情報も近似情報も存在しない場合には、撮影条件に従った画質調整で取り込んだ画像を処理するように画像処理部１０６に指示すると共に、その画質調整条件を記憶部１１３に記憶する。同じ情報又は近似する情報が存在する場合には、取り込んだ画像を記憶１１３に記憶される画質調整条件で画像処理するように画像処理部１０６を制御する。【選択図】  図１
2005175863.tif 000002
【特許請求の範囲】
【請求項１】
画像データを取得するステップと、
取得した画像データを複数の画像処理条件で表示データに変換し表示するステップと、
画像データに付与された撮影日時情報と撮影条件情報を取得するステップと、
ユーザ操作に応じて画像処理条件を変更して再び表示するステップと、
変更した画像処理条件の内容と前記撮影日時情報と前記撮影条件情報とを記憶するステップと、
新たに取得した画像データに付与された撮影日時情報及び撮影条件情報が、記憶された撮影日時情報及び撮影条件情報とそれぞれ近似するか否かを判断するステップと、
前記ステップにより近似すると判断した場合には記憶した画像処理条件の内容に従い表示データに変換し表示するステップ
とを有することを特徴とする画像表示方法。
【請求項２】
前記複数の画像処理条件は、画像の彩度調整、コントラスト調整、及び特定色の再現性向上のうち一つを含むことを特徴とする請求項１に記載の画像表示方法。
【請求項３】
前記撮影条件は、デジタルカメラで撮影する際の風景撮影モード、人物撮影モード及び夜間撮影モードのうち一つを含むことを特徴とする請求項１に記載の画像表示方法。
【請求項４】
前記撮影条件は、撮影時に記録されるホワイトバランス設定、ストロボ発光状態、ズーム状態、露出モード及びカメラ機種名のうち少なくとも一つを含むことを特徴とする請求項１に記載の画像表示方法。
【請求項５】
前記撮影条件は、撮影時に記録された撮影位置情報又は撮影時のカメラ向きの情報を含むことを特徴とする請求項１に記載の画像表示方法。
【請求項６】
新たに取得した画像データに付与された撮影日時情報及び撮影条件情報が、記憶された撮影日時情報及び撮影条件情報とそれぞれ近似しない場合に、前記撮影条件情報に基づき、予め決められた条件に従って画像処理を行なって表示するステップを有することを特徴とする請求項１に記載の画像表示方法。
【請求項７】
さらに、複数の画像データの画面内に同時に表示すると同時にそれぞれの画像に対して行った画像処理条件を画面上に提示するステップを有することを特徴とする請求項１に記載の画像表示方法。
【請求項８】
画像データを取得するステップと、
取得した画像データを複数の画像処理条件で表示データに変換するステップと、
表示データをビデオ映像信号に変換するステップと、
前記複数の信号処理条件でビデオ映像を処理して表示器に表示するステップと、
画像データに付与された撮影日時情報と撮影条件情報を取得するステップと、
ユーザ操作に応じて画像処理条件又はビデオ信号処理条件を変更して再び表示するステップと、
変更した画像処理条件の内容及びビデオ信号処理条件の内容、前記撮影日時情報並びに前記撮影条件情報を記憶するステップと、
新たに取得した画像データに付与された撮影日時情報及び撮影条件情報が、記憶された撮影日時情報及び撮影条件情報とそれぞれ近似するか否かを判断するステップと、
近似すると判断した場合に、記憶した画像処理条件の内容及びビデオ信号処理条件の内容に従い表示を行なうステップ
を有することを特徴とする画像表示方法。
【請求項９】
前記複数のビデオ信号処理条件は、省電力の為の信号処理及び高画質化の為の信号処理の少なくとも一方を含むことを特徴とする請求項８に記載の画像表示方法。
【請求項１０】
前記複数の画像処理条件は、少なくとも画像の彩度調整、コントラスト調整及び特定色の再現性向上のうち一つを含むことを特徴とする請求項８に記載の画像表示方法。
【請求項１１】
前記撮影条件は、デジタルカメラで撮影する際の風景撮影モード、人物撮影モード、夜間撮影モードのうちの一つを含むことを特徴とする請求項８に記載の画像表示方法。
【請求項１２】
前記撮影条件は、撮影時に記録されるホワイトバランス設定、ストロボ発光状態、ズーム状態、露出モード及びカメラ機種名のうち少なくとも一つを含むことを特徴とする請求項８に記載の画像表示方法。
【請求項１３】
新たに取得した画像データに付与された撮影日時情報及び撮影条件情報が、記憶された撮影日時情報及び撮影条件情報とそれぞれ近似しなかった場合に、前記撮影条件情報に基づき、予め決められた条件に従って画像処理を行なって表示するステップを有することを特徴とする請求項８に記載の画像表示方法。
【請求項１４】
デジタルカメラで撮影された画像データを取得する画像データ取得手段と、
前記画像データ取得手段により読み込まれた画像データを複数通りの処理条件で表示データに変換する画像処理手段と、
前記画像処理手段によって変換された表示データを表示する画像表示手段と、
ユーザ操作手段と、
画像表示制御手段と、
記憶手段
とを有する画像表示装置であって、
前記画像表示制御手段は、画像データに付与された撮影日時情報及び撮影条件情報を取得し、該画像の表示中に前記ユーザ操作手段から画像処理条件の変更操作通知を受けた場合に、該画像の撮影日時情報と撮影時にデジタルカメラによって付与された撮影条件情報と変更後の画像処理条件とを前記記憶手段に記憶し、
前記画像表示制御手段は、新たに画像データを表示する際に、表示しようとしている画像の撮影日時情報及び撮影条件情報と近似する情報が前記記憶手段に在る場合には、前記記憶手段に記憶された画像処理条件に従って処理を行なうよう画像処理手段を制御することを特徴とする画像表示装置。
【請求項１５】
前記画像処理手段が行なう複数の処理条件は、少なくとも画像の彩度調整、コントラスト調整及び特定色の再現性向上処理のうち一つを含むことを特徴とする請求項１２に記載の画像表示装置。
【請求項１６】
前記撮影条件は、デジタルカメラで撮影する際の風景撮影モード、人物撮影モード及び夜間撮影モードのうち一つを含むことを特徴とする請求項１２に記載の画像表示装置。
【請求項１７】
前記撮影条件は、撮影時に記録されたホワイトバランス設定、ストロボ発光状態、ズーム状態、露出モード、カメラ機種名及び撮影位置情報のうち少なくとも一つを含むことを特徴とする請求項１２に記載の画像表示装置。
【請求項１８】
前記撮影条件は、撮影時に記録された撮影位置情報又は撮影時のカメラ向きの情報を含むことを特徴とする請求項１２に記載の画像表示装置。
【請求項１９】
前記画像表示制御手段は、新たに表示しようとしている画像に付与された撮影日時情報及び撮影条件情報が近似する情報が前記記憶手段に一定数以上、記憶される場合に、該画像の表示に際し、前記記憶手段に記憶された画像処理条件に従って処理を行なうよう画像処理手段を制御することを特徴とする請求項１２に記載の画像表示装置。
【請求項２０】
前記画像表示制御手段は、新たに表示しようとしている画像に付与された撮影日時情報及び撮影条件情報に近似する情報が前記記憶手段に記憶されていない場合、前記撮影条件情報に基づき、予め決められた条件に従って処理を行なうよう画像処理手段を制御することを特徴とする請求項１２に記載の画像表示装置。
【請求項２１】
前記画像表示制御手段は、画面内に複数の画像を表示する表示モードを有し、この表示モードの際に、それぞれの画像に対して行った画像処理条件を画面上に提示する処理を行うことを特徴とする請求項１２に画像表示装置。
【請求項２２】
デジタルカメラで撮影された画像データを取得する画像データ取得手段と、
前記画像データ取得手段により読み込まれた画像データを複数通りの処理条件で表示データに変換する画像処理手段と、
前記画像処理手段によって変換された表示データをビデオ映像信号に変換する変換手段と、
複数通りの信号処理条件でビデオ映像を処理し表示するビデオ映像表示手段と、
ユーザ操作手段と、
画像表示制御手段と、
記憶手段
とを有し、
前記画像表示制御手段は、前記画像データに付与された撮影日時情報及び撮影条件情報を取得し、その画像の表示中に前記ユーザ操作手段を介して画像処理条件の変更操作が行なわれた場合に、前記画像の撮影日時情報及び撮影条件情報と、変更後の画像処理条件と、ビデオ映像表示手段におけるビデオ信号処理条件とを前記記憶手段に記憶し、
前記画像表示制御手段は、新たに画像データを表示する際に、表示しようとしている画像に付与された撮影日時情報及び撮影条件情報が近似する情報があった場合に、前記記憶手段に記憶された画像処理条件に従って処理を行なうよう画像処理手段を制御すると共に、前記記憶手段に記憶されたビデオ信号処理条件で処理されるよう前記ビデオ映像表示手段を制御する
ことを特徴とする画像表示装置。
【請求項２３】
前記ビデオ映像表示手段が行なう複数のビデオ信号処理条件は、省電力の為の信号処理又は高画質化の為の信号処理を含むことを特徴とする請求項２０に記載の画像表示装置。
【請求項２４】
前記画像処理手段が行なう複数の処理条件は、少なくとも画像の彩度調整、コントラスト調整及び特定色の再現性向上処理のうち一つを含むことを特徴とする請求項２０に記載の画像表示装置。
【請求項２５】
前記撮影条件は、デジタルカメラで撮影する際の風景撮影モード、人物撮影モード及び夜間撮影モードのうちの一つを含むことを特徴とする請求項２０に記載の画像表示装置。
【請求項２６】
前記撮影条件は、撮影時に記録されるホワイトバランス設定、ストロボ発光状態、ズーム状態、露出モード及びカメラ機種名のうち少なくとも一つを含むことを特徴とする請求項２０に記載の画像表示装置。
【請求項２７】
前記画像表示制御手段は、新たに表示しようとしている画像に付与された撮影日時情報及び撮影条件情報に近似する情報が前記記憶手段に一定数以上、記憶されている場合に、前記画像の表示に際し、前記記憶手段に記憶された画像処理条件に従って処理を行なうよう画像処理手段を制御することを特徴とする請求項２０に記載の画像表示装置。
【請求項２８】
前記画像表示制御手段は、新たに表示しようとしている画像に付与された撮影日時情報及び撮影条件情報に近似する情報が前記記憶手段に記憶されていない場合、前記撮影条件情報に基づき、所定条件に従って処理を行なうよう画像処理手段を制御することを特徴とする請求項２０に記載の画像表示装置。
【発明の詳細な説明】
【技術分野】
【０００１】
本発明は、デジタル画像データをテレビ画面上で再生する為の画像表示方法及び画像表示装置に関する。
【背景技術】
【０００２】
デジタルハイビジョン放送が開始され、ハイビジョン対応のテレビ受信機の普及により、従来よりも高画質で迫力のある映像を家庭で楽しめるようになってきている。一方、電子スチルカメラの普及により、電子化した静止画及び動画をパーソナルコンピュータだけでなく、テレビのモニタ画面に表示して楽しむユーザも増えてきている。
【０００３】
こうした状況の中で、デジタルテレビ受信装置のモニタ画面上に表示されるデジタル画像の表示画質に対しても、高画質で楽しみたいという要求が次第に高まってきている。
【０００４】
デジタル画像データの表示画質を向上させる方法としては、デジタルカメラにより撮影時に記録された撮影条件を用い画質を高める画像処理を行なう画像再生方法が知られている（特許文献１参照）。特許文献１に記載の方法では、撮影時に必要な撮影条件データが適切に記録されている場合、表示装置側でユーザが操作することなく、より画質を高める為の画像処理が自動的に施され、画像が表示再生される。
【特許文献１】特開平１０−１９１２４６号公報
【発明の開示】
【発明が解決しようとする課題】
【０００５】
しかし、特許文献１に記載の方法では、高画質処理を行なう為に十分な撮影条件データが得られない場合、撮影者が撮影時に間違った撮影シーンモードを設定してしまった場合、及び、表示装置が行なった画像処理がユーザの好みと違った場合などでは、ユーザは、やはり個々の画像に対し手動で画質調整を施す必要がある。このような高画質を得る為の試行錯誤を含めた手動での画質調整を一枚一枚繰り返す作業は、手間のかかる作業である。
【０００６】
また、特にテレビ受信装置においては、表示器上での表示画質に影響する処理として、静止画のみの画質を決定する画像処理と、静止画と動画の両方の画質を決定するビデオ信号処理の２種類の処理が存在するので、特許文献１に記載の自動画質処理だけでは、必ずしも十分な画質が得られない。
【０００７】
本発明は、上記問題に鑑みて、デジタル画像の再生画質調整作業を軽減し、より簡単・手軽に高画質な表示画像を楽しむことのできる画像再生方法及び装置並びにテレビ放送受信装置を提供することを目的としている。
【課題を解決するための手段】
【０００８】
本発明に係る画像表示方法は、画像データを取得するステップと、取得した画像データを複数の画像処理条件で表示データに変換し表示するステップと、画像データに付与された撮影日時情報と撮影条件情報を取得するステップと、ユーザ操作に応じて画像処理条件を変更して再び表示するステップと、変更した画像処理条件の内容と前記撮影日時情報と前記撮影条件情報とを記憶するステップと、新たに取得した画像データに付与された撮影日時情報及び撮影条件情報が、記憶された撮影日時情報及び撮影条件情報とそれぞれ近似するか否かを判断するステップと、前記ステップにより近似すると判断した場合には記憶した画像処理条件の内容に従い表示データに変換し表示するステップとを有することを特徴とする。
【０００９】
本発明に係る画像表示方法は、画像データを取得するステップと、取得した画像データを複数の画像処理条件で表示データに変換するステップと、表示データをビデオ映像信号に変換するステップと、前記複数の信号処理条件でビデオ映像を処理して表示器に表示するステップと、画像データに付与された撮影日時情報と撮影条件情報を取得するステップと、ユーザ操作に応じて画像処理条件又はビデオ信号処理条件を変更して再び表示するステップと、変更した画像処理条件の内容及びビデオ信号処理条件の内容、前記撮影日時情報並びに前記撮影条件情報を記憶するステップと、新たに取得した画像データに付与された撮影日時情報及び撮影条件情報が、記憶された撮影日時情報及び撮影条件情報とそれぞれ近似するか否かを判断するステップと、近似すると判断した場合に、記憶した画像処理条件の内容及びビデオ信号処理条件の内容に従い表示を行なうステップを有することを特徴とする。
【００１０】
本発明に係る画像表示装置は、デジタルカメラで撮影された画像データを取得する画像データ取得手段と、前記画像データ取得手段により読み込まれた画像データを複数通りの処理条件で表示データに変換する画像処理手段と、前記画像処理手段によって変換された表示データを表示する画像表示手段と、ユーザ操作手段と、画像表示制御手段と、記憶手段とを有する画像表示装置であって、前記画像表示制御手段は、画像データに付与された撮影日時情報及び撮影条件情報を取得し、該画像の表示中に前記ユーザ操作手段から画像処理条件の変更操作通知を受けた場合に、該画像の撮影日時情報と撮影時にデジタルカメラによって付与された撮影条件情報と変更後の画像処理条件とを前記記憶手段に記憶し、前記画像表示制御手段は、新たに画像データを表示する際に、表示しようとしている画像の撮影日時情報及び撮影条件情報と近似する情報が前記記憶手段に在る場合には、前記記憶手段に記憶された画像処理条件に従って処理を行なうよう画像処理手段を制御することを特徴とする。
【００１１】
本発明に係る画像表示装置は、デジタルカメラで撮影された画像データを取得する画像データ取得手段と、前記画像データ取得手段により読み込まれた画像データを複数通りの処理条件で表示データに変換する画像処理手段と、前記画像処理手段によって変換された表示データをビデオ映像信号に変換する変換手段と、複数通りの信号処理条件でビデオ映像を処理し表示するビデオ映像表示手段と、ユーザ操作手段と、画像表示制御手段と、記憶手段とを有し、前記画像表示制御手段は、前記画像データに付与された撮影日時情報及び撮影条件情報を取得し、その画像の表示中に前記ユーザ操作手段を介して画像処理条件の変更操作が行なわれた場合に、前記画像の撮影日時情報及び撮影条件情報と、変更後の画像処理条件と、ビデオ映像表示手段におけるビデオ信号処理条件とを前記記憶手段に記憶し、前記画像表示制御手段は、新たに画像データを表示する際に、表示しようとしている画像に付与された撮影日時情報及び撮影条件情報が近似する情報があった場合に、前記記憶手段に記憶された画像処理条件に従って処理を行なうよう画像処理手段を制御すると共に、前記記憶手段に記憶されたビデオ信号処理条件で処理されるよう前記ビデオ映像表示手段を制御することを特徴とする。
【発明の効果】
【００１２】
本発明によれば、ユーザがデジタルカメラで撮影した画像データを高画質に表示したい場合に、以前その画像に対して設定した画質調整内容及び映像信号調整内容を自動で再現できるようになり、画質調整に必要な操作を軽減することができる。また、ユーザが以前に画質調整を行なっていないデータであっても、撮影日時や撮影条件が近似していれば、ユーザが以前に他の画像に対して行なった画質調整内容と同じを調整内容で画像処理を行うことができるようになる。
【００１３】
画像処理に関する画質調整条件だけでなく、画像データがビデオ信号に変換された後の信号の信号処理に関する設定条件を記憶し、ユーザがある画像に対して満足する画質を得る為に行なった画像処理設定及びビデオ信号処理設定の条件の組合せを、後にその画像を再生する時に忠実に再現できるようなる。従って、仮にテレビ視聴時などにビデオ信号の信号処理設定が変更されていた場合にも、再びユーザが設定変更操作をする必要がなくなり、高画質を得る為の操作を軽減できるようになる。
【００１４】
以前にユーザが画質調整を行なった画像で無い場合でも、撮影日時が近似し、さらに撮影条件が一致又は近似する画像であれば、自動で画質調整を行なうので、特にユーザがある時間帯に同じ撮影条件で何枚もの写真を連続して撮影した場合などでは、１枚又は数枚画像を調整するだけで、残りの画像にも同様の画像調整処理が実施される。これにより、ユーザが一枚一枚画質調整操作を行なう手間を省くことができる。
【００１５】
高画質処理を行なう為の十分な撮影条件データが得られない場合、撮影者が撮影時に間違った撮影シーンモードを設定してしまった場合、及び、表示装置が行なった画像処理がユーザの好みと違った場合でも、撮影時間及び撮影条件が一致又は近似すれば、一枚又は数枚の画像に対し手動で画像調整操作を行なうだけで、残りの画像に対しては自動で画像調整処理が実施される。これにより、ユーザが一枚一枚画質調整操作を行なう手間を省くことができる。
【００１６】
一般に、旅行などで写真を撮る場合、観光名所などの写真スポットと呼ばれる場所ごとに写真がまとまって撮影される場合が多い。また、運動会などで写真を撮る場合においても、家族の出場する競技の時に集中して何枚もの写真が撮影される場合が多い。このようなシーンでは、同じ環境（天候及び光の条件）で、同じ撮影シーンモードで撮影された画像が短時間に何枚も作成されることになる。本発明により、撮影時間の近い画像に対して同じ画質調整処理を自動的に行なうことにより、高画質表示を得る為のユーザの操作回数は大きく減少し、操作性が向上する。
【発明を実施するための最良の形態】
【００１７】
以下、図面を参照して、本発明の実施例を詳細に説明する。
【実施例１】
【００１８】
図1は、本発明の一実施例であるデジタルテレビ受信装置１００の概略構成ブロック図を示す。
【００１９】
不図示のアンテナで受信された信号はチューナ１０１に入力する。チューナ１０１は、入力信号に復調及び誤り訂正等の処理を施し、トランスポートストリームと呼ばれる形式のデジタルデータを生成する。チューナ１０１は更に、生成したトランスポートストリーム（ＴＳ）データのデスクランブルを解除し、デマルチプレクサ１０２に出力する。チューナ１０１の出力データは、複数チャネル分の映像音声データ、電子番組ガイド（ＥＰＧ）データ及びデータ放送データ等が時分割多重化されたＴＳデータである。
【００２０】
デマルチプレクサ１０２は、チューナ１０１からのＴＳデータの中から映像音声データを取り出し、映像音声デコーダ１０３に供給する。映像・音声デコーダ１０３で復元された映像データはビデオメモリ１０７に書き込まれ、表示合成部１０８を介して表示器１１２に供給される。映像音声デコーダ１０３で復元された音声データは、音声出力部１０４から音声出力される。
【００２１】
カードスロット１０９にはメモリカードを挿抜でき、本実施例では、デジタルカメラとのデータのやり取りに使用される。画像データ入力部１０５は、カードスロット１０９に接続されたメモリカードからデジタル画像データを読み込む。画像処理部１０６は、画像データ入力部１０５により入力したデジタル画像データに画像処理を施し、ビデオメモリ１０７に書き込む。
【００２２】
表示制御部１１０は、画像データ入力部１０５に対して画像読込みを指示し、画像処理部１０６に対して処理実行を指示し、表示合成部１０８に対して合成処理を指示し、記憶部１１３に対して情報の記憶を指示する。また、表示制御部１１０は、ユーザ入力部１１１を介してリモコン１１４からの入力データを取得し、画像データ入力部１０５を介してデジタル画像データに付与された撮影データを取得する。
【００２３】
図２は、リモコン１１４の外観斜視図を示す。ただし、図２には、本実施例の機能を説明するのに必要な操作ボタンのみを図示してある。２０１はユーザ入力部１１１の受光部との間で赤外線通信を行うための発光部、２０２は電源をオン／オフする電源キー、２０３は上下左右ボタンの真中に決定キーを配したカーソル＆決定キー、２０４はアップキー、２０５はダウンキー、２０６は１〜９、０の数字がマトリクス上に並んだ数字キー、２０７は横一例に並んだ青、赤、緑及び黄の４色のボタンからなるカラーキーである。２０８は、テレビ受信機のモニタの表示モードを切替えるモニタモードキー、２０９は画像ビューア機能を呼出す為のビューア・キーである。
【００２４】
本実施例の処理動作を説明する。デジタルテレビ受信装置１００におけるデジタル画像の表示は、ユーザがカードスロット１０９にメモリカードを装着し、リモコン操作により画像ビューア機能を呼び出すことで開始される。
【００２５】
本実施例において用いるデジタル画像は、デジタルカメラで撮影された静止画及び動画データである。静止画データは、デジタルカメラでＪＰＥＧ圧縮処理を施された後、静止画像データファイルとしてメモリカードに記録されたものである。また、動画データも、同様にデジタルカメラによりフレーム単位でＪＰＥＧ圧縮処理された画像群を動画像データファイルとしてメモリカードに記録されたものである。以後の説明で、「画像ファイル」は静止画像データ又は動画像データを示す。
【００２６】
各画像ファイルには、デジタルカメラによって撮影時の情報が付与されている。撮影時の情報には、撮影日時及びカメラ機種名のほかに、撮影シーンモード、ホワイトバランス（ＷＢ）モード、ストロボ発光状態及びズーム状態などがある。本実施例で使用したデジタルカメラは、撮影シーンモードとして、風景モード、人物モード（ポートレートモード）及びナイト（夜間撮影）モード」といったモードを選択可能である。更には、ホワイトバランス（ＷＢ）モードとして、太陽光モード、曇りモード、電球モード及び蛍光灯モードを設定可能である。これらのモード情報を含む撮影時の情報が、撮影時にデジタルカメラによって画像ファイルのヘッダに格納される。
【００２７】
図３は、表示制御部１１０の動作を中心に、デジタルテレビ受信装置１００における画像ビューア機能の一部の動作のフローを示す。
【００２８】
表示制御部１１０は、画像データ入力部１０５に画像データの読込みを指示する（Ｓ３０１）。次に、自動画質調整を実行するか否かを判定する（Ｓ３０２）。この判定処理の詳細は、後述する。
【００２９】
Ｓ３０２の判定処理で表示制御部１１０１１９が自動画質調整を行なわないという結果が出た場合、画質調整を行なわない通常の画像処理パラメータを画像処理部１０６に設定し（Ｓ３０４）、画像処理の実行を指示する（Ｓ３０６）。画像処理部１０６によってＪＰＥＧ圧縮の復元処理が施された画像データは、ビデオメモリ１０７に転送される。画像処理部１０６から出力される画像データと、表示制御部１１０が直接、ビデオメモリ１０７に文字データ及び画像を描画した結果が、ビデオメモリ１０７に格納され、表示合成部１０６はこれらの情報を合成し、表示器１１２に出力する。図４は、表示器１１２の表示画面例を示す。図４では、画面中央の画像データの左にファイル名及び撮影日と、後述する画質調整処理が実行されなかったことを示す文字情報が表示されている。
【００３０】
表示制御部１１０１０６は、図４に示すような画像の表示を完了すると、Ｓ３０７からＳ３０９によってユーザのリモコン入力を待つ状態となる。例えば、ユーザがカーソルキーを操作すると、次画像又は前画像の選択と判断され（Ｓ３０７）、メモリカードからの次又は前の画像のデータの読込みが画像データ入力部１０５に指示される（Ｓ３０１）。
【００３１】
また、Ｓ３０７〜Ｓ３０９の処理中、つまり図４に示す表示がなされている状態のときに、ユーザが赤、青又は緑の何れかのカラーボタンを押したことがユーザ入力部１１１から通知されると、表示制御部１１０は、ユーザが画質調整モードを変更する操作をしたと認識し（Ｓ３０８）、押されたキーに対応する画質調整モードを決定する（Ｓ３１０）。例えば図４に示す状態でユーザが青ボタンを押すと、人物モードの画質調整となる。
【００３２】
更に、表示制御部１１０は、Ｓ３１１で、現在、選択中（表示中）の画像データのファイル名、撮影日時、撮影シーンモード、ホワイトバランスモード、フラッシュ発光モード及びズームといった画像データに付与された情報と、ユーザ操作によって決定した画質調整モードとを合わせて、調整記録情報として記憶部１１３に格納する。図５は、記憶部１１３に格納される調整記録情報の内容例を示す。上記の説明により、図5に例示するデータが、記憶部１１３に格納される。
【００３３】
表示制御部１１０は、ユーザ操作によって決定した画質調整の為のパラメータを画像処理部１０６に設定し（Ｓ３０５）、画像処理の実行を指示する。画像処理部１０６によってＪＰＥＧ圧縮から復元された画像データは、ビデオメモリ１０７に転送される。また、手動によって画像調整が行なわれたことを示す文字情報が、表示制御部１１０から直接、ビデオメモリ１０７に転送され、これらのビデオメモリ１０７上の情報が、表示合成部１０８により表示部１１２に出力される。表示例を図６に示す。
【００３４】
発明者らの経験では、風景写真の場合には、画像の彩度を高めるような処理を施すことで画質感が高まり、人物写真の場合には肌色を鮮やかにする処理、夜間写真の場合にはコントラストを高める処理を施すことで、画質感が高まることが分かっている。
【００３５】
図６では、人物モードが選択されたので、図４に比べ、より肌色を鮮やかにするような画像処理が施され、表示される。また、手動画質調整が行なわれたこと、そしてそのモードが人物モードであったことを示す情報が文字で表示される（Ｓ３０６）。
【００３６】
Ｓ３０２における自動画質調整実行判定処理を説明する。図７は、この処理のフローチャートである。
【００３７】
表示制御部１１０は、これから表示しようとしている画像に付与された情報を、画像データ入力部１０５を介して読み込む（Ｓ３２１）。表示しようとしている画像の調整記録情報が記憶部１１３に既に記録されている場合（Ｓ３２２）、ユーザが過去にこの画像について画質調整操作を行なったものであると判断し、その画像の調整記録情報が示す画質調整モード情報に従い自動的に画質調整が実行するという判定結果となる（Ｓ３２８）。
【００３８】
一方、記憶部１１３に調整記録のない画像の場合、表示しようとしている画像の撮影日時と記憶部１１３に記録された全ての調整記録情報とが比較され（Ｓ３２３）、同じ時刻又は一定時間以内（ここでは１分以内）に撮影された画像の調整記録が見つかった場合、さらに、ホワイトバランスモード、フラッシュ状態及びズーム状態といった撮影条件の情報を比較し、これらも一致した場合に、調整記録情報に示された画質調整モード情報に従い、自動的に画質調整が実行するという判定結果となる（Ｓ３２８）。
【００３９】
記憶部１１３に調整記録情報が記録されていない画像の場合で、かつ、表示しようとしている画像の撮影日時及び撮影条件が一致する情報が見つからなかった場合には、表示しようとしている画像に付与された撮影条件の中に自動画質調整に必要な情報が存在するか否かを確認する（Ｓ３２５）。十分な情報が付与されていた場合には、画像に付与された情報を基に画質調整モードを決定し、自動的に画質調整が実行する判定結果とする（Ｓ３２７）。
【００４０】
本実施例では、画像の付与情報で撮影シーンモードが設定されていることを自動画質調整の必要条件としており、画像に付与された撮影シーンモードが風景モードの場合、画質調整モードも風景モードとするようにしている。さらに、画像に付与された撮影シーンモードが人物モードであった場合には、画質調整モードも人物モードとするようにしている。
【００４１】
Ｓ３２５の処理で、画像に自動画質調整の為に必要な情報が付与されていない場合、自動画像処理はオフとする判定結果が出力される。
【００４２】
Ｓ３０２の処理で自動画質調整を行なうという判定結果が出た場合、表示制御部１１０は、決定された画質調整モードに対応した画像処理パラメータを画像処理部１０６に設定し（Ｓ３０４）、画像処理の実行を指示する（Ｓ３０６）。画像処理部１０６によってＪＰＥＧ圧縮の復元処理が施された画像データは、ビデオメモリ１０７へ転送され、同じくビデオメモリ１０７上の文字データ及び画像を情報と合成されて、表示器１１２に出力される。
【００４３】
以上に説明した表示制御部１１０の処理により得られる動作結果を説明する。ここでユ、ーザが撮影してきたばかりの画像ファイルが記録されたメモリカードをデジタルテレビ受信装置１００のメモリカードスロット１０９に挿し、画像ビューア機能を起動したと仮定する。また、以下、ＷＢはホワイトバランスを示し、ＦＬはフラッシュモードを示し、Ｚｍはズーム倍率を示す。
【００４４】
ユーザが「１４：２９撮影、シーン＝風景、ＷＢ：オート、ＦＬ：なし、Ｚｍ：なし」という情報が付与された画像データ「ＩＭＧ０００１」を表示しようとした場合、Ｓ３０２の自動画質調整判定処理で、画像に付与されたデータ「撮影シーンモード＝風景」を基にした自動画質調整が決定され、画像処理部１０６は、風景モードでの画質調整パラメータによって画像処理を実行する。
【００４５】
次に、ユーザが、「１４：３０撮影、シーン＝人物、ＷＢ：オート、ＦＬ：なし、Ｚｍ：なし」という情報が付与された画像データ「ＩＭＧ０００２」を表示しようとした場合には、Ｓ３０２の自動画質調整判定処理で、画像に付与されたデータ「撮影シーンモード＝人物」を基にした自動画質調整が決定され、画像処理部１０６は、人物モードでの画質調整パラメータによって画像処理を実行する。
【００４６】
次に、ユーザが、「１４：３２撮影、シーン＝人物、ＷＢ：オート、ＦＬ：なし、Ｚｍ：なし」という情報が付与された画像データ「ＩＭＧ０００３」を表示しようとした場合には、Ｓ３０２の自動画質調整判定処理で、画像に付与されたデータ「撮影シーンモード＝人物」を基にした自動画質調整が決定され、画像処理部１０６は、人物モードでの画質調整パラメータによって画像処理を実行する。
【００４７】
ユーザが、この画像データ「ＩＭＧ０００３」の表示中に、リモコン操作によって「風景モード」への画質調整モードの変更を指示した場合、図５に示すような調整記録情報が記憶部１１３に記録され、さらに、風景モードでの画質調整パラメータによる画像処理が実行される。図8は、この実行結果の画面表示例を示す。
【００４８】
次に、ユーザが、「１４：３２撮影、シーン＝人物、ＷＢ：オート、ＦＬ：なし、Ｚｍ：なし」という情報が付与された画像データ「ＩＭＧ０００４」を表示しようとした場合には、Ｓ３０２の自動画質調整判定処理で、記憶部１１３に記録された調整記録情報との比較処理により、撮影日時が近似し、撮影シーンモードを含めた撮影条件が一致するデータが存在するので、この調整記録情報が示す「画質調整モード＝風景」を基にした自動画質調整が決定され、画像処理部１０６は、風景モードでの画質調整パラメータによる画像処理を実行する。図９は、この実行結果の画面表示例を示す。
【００４９】
次に、ユーザが、「１４：３２撮影、シーン＝人物、ＷＢ：オート、ＦＬ：なし、Ｚｍ：２００％」という情報が付与された画像データ「ＩＭＧ０００５」を表示しようとした場合、Ｓ３０２の自動画質調整判定処理、記憶部１１３に記録された情報との比較処理により、撮影日時が近似するデータが存在するものの、ズーム状態という撮影条件が一致しない為、調整記録情報に基づいた処理は行なわれず、画像に付与されたデータ「撮影シーンモード＝人物」という情報を基にした自動画質調整が決定され、画像処理部１０６は、人物モードでの画質調整パラメータによる画像処理を実行する。
【００５０】
このように本発明の第１の実施例によれば、撮影日時が近似し、さらに撮影条件が一致している画像群があった場合に、ユーザは最初の１枚だけに対して画質調整モードの変更を行なうだけでよくなり、残りの画像に対しては表示制御部１１０によって自動的に同様の画質調整処理が施される。撮影日時又は撮影シーンモードが一致していても、ズーム率が大きく違う場合、及び、フラッシュ使用の有無が異なるなど、撮影条件が大きく異なる場合には、同様な画質調整処理は行なわない。
【００５１】
特に取り直しが利き、撮影枚数の制限の少ないデジタルカメラの場合、ユーザは、数分間の間に同じ撮影シーンモード設定のまま何枚もの写真を撮ることが多い。本実施例で示したように、撮影時間の近い画像に対して同じ画質調整処理を自動的に行なうことにより、高画質表示を得る為のユーザの操作回数は大きく減少し、操作性が向上する。
【００５２】
以上の説明は、本実施例のテレビ受信装置１００のもつ基本的な画像表示機能を説明したに過ぎず、たとえば、本実施例のテレビ受信装置１００は、他の表示モードとして、図１０に例示するように、注目している画像を大きく配置し、その下部に他の画像のサムネイル画像を配置するような表示モードを有している。この表示モードでは、表示制御部１１０は、注目画像及び各サムネイル画像の表示処理において、図３の処理に大部分が類似した図１１に示す処理を実行する。特に、この表示モードでは、Ｓ１３０６に示した処理の中で、実際に画像データに施した画像処理内容に従って画像背景色を決定し、ビデオメモリ１０７への描画処理を行った後、画像処理後の画像データを描画している。その結果、図１０に示すように、注目画像に対して施された画像調整処理内容、そして、その前後の画像に施された画像処理内容が、画像の背景色として示されるようになる。
【００５３】
この表示モードでは、ユーザは、注目画像とその前後の画像にどのような画像調整処理が行われたのか、また、注目画像には前後の画像と同じ画像調整処理が行われたのか、などを容易に認識できるようになる。
【００５４】
テレビ受信装置１００では、図１２に例示したような、各画像のサムネイル画像をマトリクス上に配置して表示する表示モードも有している。この表示モードでも、各画像の表示処理の際に、表示制御部１１０は図１１に示す処理を実行する。その結果、図１２に示すように、各画像に対して施された画像調整内容が画像の背景色として表示される。この表示モードでは、ユーザは、画像群がどのようにグルーピングされ、各グループに対してどのような画像調整処理が施されたかを容易に認識できるようになる。
【００５５】
図１０及び図１２に例示する表示モードの何れの場合でも、ユーザが画像調整処理の結果に不満を感じた場合、他の画像調整処理に変更したり、画像調整処理を止めたりする操作を１ボタン操作（例えば、カラーボタン２０７の操作）だけで行えるようになっている。
【００５６】
撮影条件を示すパラメータとして、ホワイトバランス、フラッシュ及びズーム率を例示したが、本発明の主旨からすれば、これらに限ることなく、露出モード及びマクロ接写設定の有無などを含んでいても良い。
【００５７】
デジタルカメラの中にはカメラの機種名及び撮影時の位置情報（例えば、ＧＰＳ情報）を記録するものがある。そのようなカメラを使用した場合には、図１３に示すように、緯度、経度及び高度といった情報も調整記録情報に含めて記録され、より厳密に撮影条件の一致を判定することができるようになる。たとえば、ユーザが短時間に場所を移動した場合には、画像ごとのＧＰＳ情報が一致しないので、同じ画像調整条件としないという判定を下すことも可能である。さらに、ＧＰＳ情報の中には、カメラの向きを示す情報も含まれる場合があるので、その場合には、同じ時間の同じ場所においても、異なる向きであれば、同じ画像調整条件を使用しないというより厳密な判定を行うことも可能となる。
【００５８】
撮影日時の一致及び近似を判断する際に、１分以内という判断基準を採用する例を説明したが、本発明の主旨からすれば、これに限ることなく、５分であっても１０分であっても、また、予めユーザが設定した時間差としてもよい。
【実施例２】
【００５９】
本発明の第２実施例を説明する。図１４は、第２実施例のデジタルテレビ受信装置６００の概略構成ブロック図を示す。
【００６０】
チューナ６０１、デマルチプレクサ６０２、映像音声デコーダ６０３、音声出力部６０４、画像データ入力部６０５、画像処理部６０６、ビデオメモリ６０７、表示合成部６０８、カードスロット６０９、記憶部６１３、ユーザ入力部６１１及びリモコン６１４に関しては、図１に示す実施例の対応する要素と同じ機能を具備するので、詳細な説明を省略する。
【００６１】
画像処理部６０６から出力されビデオメモリ６０７に書き込まれた画像データは、表示合成部６０８によって、表示制御部６１０から直接描画されたＧＵＩ（グラフィカル・ユーザ・インターフェース）などの情報と合成処理がなされ、ビデオフォーマット変換部６１２に出力される。ビデオフォーマット変換部６１２は、表示器６１５に合わせたフォーマットに表示号西部６０８からの映像信号を変換し、表示器６１５に印加する。表示器６１５では、ビデオフォーマット変換部６１２から入力した映像データに基づき、モニタ制御部６１６が表示デバイス６１７を駆動制御し、画像を表示させる。
【００６２】
モニタ制御部６１６は、モニタ制御モードとして、標準モード、シネマモード及び省電力モードという複数のモードを有しており、表示制御部１１０からの指示によりこれらのモニタ制御モードを切替えることができる。通常、ユーザがリモコンのモニタモードボタンを押したことを検知すると、表示制御部１１０が、モニタ制御部６１６のモニタ制御モードを制御する。
【００６３】
表示制御部６１０であり、画像データ入力部６０５に画像読込みを指示し、画像処理部６０６に処理実行を指示し、表示合成部６０８に合成処理を指示し、記憶部６１３に情報記憶を指示し、表示器６１５のモニタ制御部６１６からモニタ動作モード情報を取得し、モニタ制御部６１６に動作モードを設定する。また、表示制御部６１０は、ユーザ入力部６１１を介してリモコン６１４からの入力データを取得し、画像データ入力部６０５を介して、デジタル画像データに付与された撮影データを取得する。
【００６４】
図１５はデジタルテレビ受信装置６００における画像ビューア機能の動作を表示制御部６１０の動作を中心に示す。本実施例で用いる画像データは、第１実施例と同じである。
【００６５】
表示制御部６１０は、画像ビューア機能の開始時に、モニタ制御部６１６に現在のモニタ制御モードを問い合わせ、取得したモード値をＴＶ保存値として記憶部６１３に記憶する（Ｓ７００）。表示制御部６１０は、画像データ入力部６０５に画像データの読込みを指示する（Ｓ７０１）。次に、自動画質調整を実行するか否か、そしてモニタ制御モードを変更するか否かを決定する（Ｓ７０２）。この処理の詳細は、後述する。
【００６６】
Ｓ７０２の処理で自動画質調整を行なわない判定結果となった場合、表示制御部６１０は、画質調整を行なわない通常のパラメータを画像処理部６０６に設定し（Ｓ７０４）、画像処理部６０６は、そのパラメータに従った画像処理を実行する。その後、ビデオメモリ６０７には、画像処理部６０６から出力される画像データが展開され、表示制御部６１０が直接、ビデオメモリ６０７に転送した文字データ及び画像データと共に、表示合成部６０８によって合成された後、ビデオフォーマット変換部６１２によりフォーマットを変換されて、表示器６１５に供給される（Ｓ７０６）。
【００６７】
表示制御部６１０は、Ｓ７０９からＳ７１２によってユーザのリモコン入力を待つ状態となる。例えば、ユーザがカーソルキーを操作すると、次画像又は前画像の選択と判断され（Ｓ７１０）、メモリカードから次（前）の画像のデータ読込みが画像データ入力部６０５に指示される（Ｓ７０１）また、Ｓ７０９〜Ｓ７１２の処理中、ユーザが赤、青又は緑のカラーボタンを押したことをユーザ入力部６１１から通知されると、表示制御部６１０は、ユーザが画質調整モードを変更する操作をしたと判断し（Ｓ７１１）、押されたキーに対応する画質調整モードを決定する（Ｓ７１３）。例えば、ユーザが赤ボタンを押すと、風景モードの画質調整に決定する。
【００６８】
表示制御部６１０は、Ｓ７１４の処理で、現在、選択中（表示中）の画像データのファイル名、撮影日時、撮影シーンモード、ホワイトバランスモード、フラッシュ発光モード及びズームといった画像データに付与された情報と、ユーザ操作によって決定した画質調整モードとを合わせて、記憶部６１３に調整記録情報として記録する。これに加えて、表示制御部６１０は、モニタ制御部６１６から現在のモニタ制御モードを取得し、調整記録情報と共に記憶部６１３に記録する。
【００６９】
図１６は、記憶部６１３に記録される情報の例を示す。第１実施例に比べ、モニタモードという情報が追加されている。モニタモードには、標準、シネマ及び省電力というモードがあり、記憶部６１３には、Ｓ７１４の処理が実行された時点でのモニタモードが記録される。
【００７０】
表示制御部６１０は、ユーザ操作によって決定した画質調整のパラメータを画像処理部６０６に設定し（Ｓ７０５）、画像処理の実行を指示する。画像処理部６０６によりＪＰＥＧ圧縮の復元処理が施された画像データは、ビデオメモリ６０７に転送され、表示器６１５上に表示される（Ｓ７０６）。
【００７１】
Ｓ７０９〜Ｓ７１２の処理中、ユーザがリモコンのモニタモードボタンを押したことがユーザ入力部６１１から通知されると、表示制御部６１０は、ユーザがモニタ制御モードを変更する操作をしたと判断し、該当するモニタ制御モードをモニタ制御部６１６に設定する（Ｓ７０８）。本実施例のテレビ受信装置６００では、リモコン６１４のモニタモードボタンを押すたびに、モニタ制御モードが、標準モード→シネマモード→省電力モード→標準モードといった具合に循環的に切り替わり、その都度、表示画面上には、現在、設定されているモニタ制御モードが表示される。
【００７２】
Ｓ７０８の処理の直前にＳ７１６の処理が実行され、Ｓ７１４の処理と同様に、現在、選択中（表示中）の画像データのファイル名、撮影日時、撮影シーンモード、ホワイトバランスモード、フラッシュ発光モード及びズームといった画像データに付与された情報と、この画像に対してＳ７０６で実行した画質調整モードと、ユーザ操作によって切替えられたモニタ制御モードとをあわせて記憶部６１３に調整記録情報として記録する。
【００７３】
Ｓ７０２における自動画質調整＆モニタ制御モード決定処理を説明する。図１７は、この処理の流れを示すフローチャートである。
【００７４】
表示制御部６１０は、これから表示しようとしている画像の付与情報を、画像データ入力部６０５を介して読込む（Ｓ７２１）。表示しようとしている画像の調整記録情報が記憶部６１３に存在する場合（Ｓ７２２）、ユーザが過去にこの画像について画質調整操作を行なったものであるので、図１６に示すような調整記録情報に含まれる画質調整モード情報に従い、画質調整の自動実行という判定結果を下すと共に、同じく調整記録情報のモニタモード情報に従い、モニタ制御モード設定値を決定する（Ｓ７２８）。
【００７５】
一方、記憶部６１３に記録されていない画像の場合、表示しようとしている画像の撮影日時と記憶部６１３に記録された全調整記録情報とが比較され（Ｓ７２３）、同じ又は１分以内の時間差の画像に関する調整記録があった場合で、かつホワイトバランスモード、フラッシュ状態及びズーム状態といった撮影条件の情報が一致した場合には、調整記録情報に含まれる画質調整モード情報に従い、画質調整の自動実行という判定結果を下すと共に、同じく調整記録情報に含まれるモニタモード情報に従いモニタ制御モード設定値を決定する（Ｓ７２８）。
【００７６】
記憶部６１３に調整記録情報がない画像の場合で、かつ、表示しようとしている画像の撮影日時及び撮影条件に関する情報と一致又は近似する情報が調整記録情報にない場合には、表示しようとしている画像に付与された撮影条件の中に自動画質調整に必要な情報が存在するか否かを確認する（Ｓ７２５）。十分な情報が付与されていた場合には、画像に付与された情報を基に画質調整モードを決定し、画質調整の自動実行という判定結果を下すと共に、モニタモードに関しては現状のモードを維持する（Ｓ７２７）。
【００７７】
Ｓ７２５の処理で、画像に自動画質調整の為に必要な情報が付与されていない場合、自動画像処理をオフとする判定結果が出力され、モニタモードに関しても変更処理を行なわない（Ｓ７２６）。
【００７８】
Ｓ７０９〜Ｓ７１２の処理中、ユーザが数字キー又はチャンネルアップ／ダウンキーなどを押したことにより、画像ビューアを終了してテレビ視聴を開始する操作を行なったことを認識すると、表示制御部６１０は、Ｓ７００の処理で保存したモニタモードのＴＶ保存値をモニタ制御部６１６に設定する。この処理により、ユーザがテレビを視聴する際には、画像ビューアで行なったモニタモードの変更に影響受けず、テレビ番組視聴にふさわしいモードでの視聴を再開できる。
【００７９】
このように、本発明の第２実施例によれば、画像処理部６０６に対する設定モードだけでなく、モニタ制御部６１６に対するモニタ制御モード、つまり標準、シネマ及び省電力といった表示デバイスの駆動に関する制御モードも記憶し、ユーザがある画像の表示中に行なった表示に関する調整状態を、後になっても忠実に再現できるようにしている。つまり、ユーザがＩＭＧ０００３というファイルの画像に対し、試行錯誤の結果、風景モードの画質調整、シネマモードのモニタ制御モードの組合せが最も高画質であるという結論に達した場合に、後になって再びその画像を選択し表示するだけで、それらの設定が再現され、同じ画質で楽しむことができるようになり、満足する画質を得る為に行なう操作の手間を減らすことができるようになる。
【００８０】
また、撮影日時が近似し、撮影条件が一致している画像群があった場合、ユーザは、最初の１枚だけに対して画質調整モードとモニタ制御モードの変更を行なうだけで、残りの画像に対しては表示制御部６１０が自動的に、同様の画質調整処理とモニタ制御モードを設定する。
【００８１】
第２実施例によれば、画像ビューアで最適な画質を得る為にユーザがモニタ制御モードを変更しても、テレビ視聴時には再びテレビ用のモニタ制御モードが設定されるので、テレビ視聴時にモニタ制御モードの設定をし直す必要がない。
【実施例３】
【００８２】
本発明の第３実施例を説明する。第３実施例は、第１実施例を以下のように変更したものである。本実施例で用いる画像データもまた、第１実施例で説明したのと同様のでーたからなる。
【００８３】
図１８は、第３実施例における画像ビューア機能の動作を表示制御部１１０の動作を中心に示すフロー図である。
【００８４】
表示制御部１１０は、画像データ入力部１０５に画像データの読込みを指示する（Ｓ９０１）。次に、自動画質調整を実行するか否かを判定する（Ｓ９０２）。この判定処理の詳細は、後述する。
【００８５】
表示制御部１１０は、自動画質調整を行なわない判定結果が出た場合（Ｓ９０３）、画質調整を行なわない通常のパラメータを画像処理部１０６に設定し（Ｓ９０４）、画像処理の実行を指示する。画像処理部１０６によってＪＰＥＧ圧縮の復元処理が施された画像データは、ビデオメモリ１０７に転送される。ビデオメモリ１０７には、画像処理部１０６から出力された画像データと、表示制御部１１０がビデオメモリ１０７に文字データ及び画像を直接描画した結果が格納され、これらは、表示合成部１０８により合成されて、表示器１１２に印加される。
【００８６】
表示制御部１１０は、Ｓ９０７からＳ９０９おいて、ユーザのリモコン入力を待つ状態となる。例えば、ユーザがカーソルキーを操作すると、次画像又は前画像の選択と判断され（Ｓ９０７）、メモリカードからの次（前）の画像のデータ読込みが画像データ入力部１０５に指示される（Ｓ９０１）
【００８７】
Ｓ９０７〜Ｓ９０９の処理中、ユーザが赤、青又は緑のリモコンボタンの何れかを押したことをユーザ入力部１１１から通知されると、表示制御部１１０は、ユーザが画質調整モードを変更する操作をしたと判断し（Ｓ９０８）、押されたキーに対応する画質調整モードを決定する（Ｓ９１０）。例えば、ユーザが赤ボタンを押すと、風景モードの画質調整となる。
【００８８】
表示制御部１１０は、Ｓ９１１の処理で、現在、選択中（表示中）の画像データのファイル名、撮影日時、撮影シーンモード、ホワイトバランスモード、フラッシュ発光モード、ズーム状態及び撮影カメラ名といった画像データに付与された情報と、ユーザ操作によって決定した画質調整モードとをあわせて記憶部１１３に調整記録情報として記録する。図１９は、記憶部１１３に記録される情報の例を示す。
【００８９】
表示制御部１１０は、ユーザ操作によって決定された画質調整に対するパラメータを画像処理部１０６に設定し（Ｓ９０５）、画像処理の実行を指示する。画像処理部１０６によってＪＰＥＧ圧縮の復元処理が施された画像データは、ビデオメモリ１０７に転送され、再び、表示器１１２上に表示される（Ｓ９０６）。
【００９０】
Ｓ９０２における自動画質調整判定処理を説明する。図２０は、この処理のフローチャートである。
【００９１】
表示制御部１１０は、これから表示しようとしている画像の付与情報の読込みを画像データ入力部１０５に指示する（Ｓ９２１）。表示しようとしている画像の画質調整内容が記憶部１１３に記録されている場合（Ｓ９２２）、ユーザが、過去にこの画像について画質調整操作を行なったものであるので、記憶部１１３に記憶されていた調整記録の画質調整モード情報に従い画質調整を自動実行するという判定結果が出力される（Ｓ９２８）。
【００９２】
記憶部１１３に調整記録情報の無い画像の場合、表示しようとしている画像の撮影日時から前後一定時間以内（例、１時間以内）に撮影され、かつ、表示しようとしている画像と同じ撮影モード及び同じ撮影条件（ホワイトバランスモード、フラッシュ状態、ズーム状態及び撮影カメラ名）が一致する画像の調整記録情報が一定枚数以上（例えば、２枚以上）あるか否かを調べ、一定枚数以上あった場合、さらにその複数画像の調整記録のうち一定の割合以上（例、８０％以上）が同じ画質調整モードを選択している場合には、記憶部１１３の調整記録の画質調整モード情報に従って画質調整を自動実行するという判定結果となる（Ｓ９２８）。
【００９３】
記憶部１１３に記録されていない画像の場合で、かつ、表示しようとしている画像の撮影日時から１時間以内で、かつ撮影モードと撮影条件が共に同じである画像データの記録が無い場合には、表示しようとしている画像に付与された撮影条件の中に自動画質調整に必要な情報が存在するかを確認し（Ｓ９２５）、十分な情報が付与されていた場合には、画像に付与された情報を基に画質調整モードを決定し、その画質調整モードに従い画質調整を自動実行するという判定結果となる（Ｓ９２７）。
【００９４】
Ｓ９２５の処理で、画像に自動画質調整の為に必要な情報が付与されていない場合には、自動画像処理をオフとする判定結果が出力される。
【００９５】
Ｓ９０２の処理で、自動画質調整を行なうという判定結果が出た場合、表示制御部１１０は、決定された画質調整モードに対応した画像処理パラメータを画像処理部１０６に設定し（Ｓ９０５）、画像処理の実行を指示する（Ｓ９０６）。画像処理部１０６によってＪＰＥＧ圧縮の復元処理が施された画像データは、ビデオメモリ１０７に転送され、同じくビデオメモリ１０７上の文字データ及び画像を情報と合成処理が施され、表示器１１２に出力される。
【００９６】
以上、詳記したように、第３実施例によれば、撮影日時の差が一定期間以内で、さらに撮影条件が一致している画像群があった場合に、ユーザは一定枚数以上画質調整モードの変更を行なうだけで、残りの画像に対しては表示制御部１１０によって自動的に同様の画質調整処理が施されることになる。
【００９７】
例えば、ユーザが旅行中にたくさんの風景写真をとってきた場合などでは、その日の天候によって光の具合が変わり、画像の画質傾向に大きな影響を与える。しかし、１時間乃至数十分の単位で考えると、大きな天候の変更があることは稀であり、その時間帯に同じ条件で撮影された画像群に対し、ユーザが同じ画質調整を施す可能性は高い。さらに、実際にその中の数枚に対し、ユーザが画質調整操作を行なった場合には、他の写真に対しても同様の操作を施す可能性はきわめて高いといえる。第３実施例によれば、このような状況で、ユーザ操作の手間を省くことができ、快適な操作環境を提供できる。
【００９８】
上述の各実施例では、記憶部に記録された画質調整記録の情報及び画像に付与された撮影条件の情報に従い自動的に画質調整処理を行なうとしたが、ユーザが最適な表示画質を得る為の試行錯誤の操作を軽減するという本発明の主旨からすれば、本発明は、これに限ることはなく、図２１に例示するように、推奨画質調整というような提示を行い、ユーザの入力後、実際の画質調整を実施するような実施形態も、実現できる。
【００９９】
各実施例では、風景モードでは画像の彩度を高めるような処理を施し、人物モードの場合には肌色を鮮やかにする処理を施し、夜間モード場合にはコントラストを高める処理を施すことで画質感が高まるとしたが、本発明の主旨からすれば、これに限ることなく、例えば、特開２００１−１４７４８１号公報に記載されるように、シャープネス、コントラスト、明るさ及び彩度といったパラメータの増減の組合せを適用しても良い。
【図面の簡単な説明】
【０１００】
【図１】本発明の一実施例であるデジタルテレビ受信装置１００の概略構成ブロック図を示す。
【図２】リモコンの外観図である。
【図３】デジタルテレビ受信装置１００における画像ビューア機能の一部の動作のフローチャートである。
【図４】表示器１１２の表示画面例である。
【図５】記憶部１１３に格納される調整記録情報の内容例である。
【図６】表示器１１２の表示画面例である。
【図７】自動画質調整実行判定処理（Ｓ３０２）のフローチャートである。
【図８】表示器１１２の表示画面例である。
【図９】表示器１１２の表示画面例である。
【図１０】表示器１１２の表示画面例である。
【図１１】デジタルテレビ受信装置１００における画像ビューア機能の一部の動作の変更例のフローチャートである。
【図１２】表示器１１２の表示画面例である。
【図１３】記憶部１１３に格納される調整記録情報の内容例である。
【図１４】本発明の第２実施例であるデジタルテレビ受信装置６００の概略構成ブロック図を示す。
【図１５】デジタルテレビ受信装置６００における画像ビューア機能の動作を表示制御部６１０の動作を中心に示すフローチャートである。
【図１６】記憶部６１３に格納される調整記録情報の内容例である。
【図１７】自動画質調整＆モニタ制御モード決定処理（Ｓ７０２）のフローチャートである。
【図１８】第３実施例における画像ビューア機能の動作を表示制御部１１０の動作を中心に示すフローチャートである。
【図１９】記憶部１１３に格納される調整記録情報の内容例である。
【図２０】自動画質調整判定処理（Ｓ９０２）のフローチャートである。
【図２１】推奨画質調整の画面例である。
【符号の説明】
【０１０１】
１００：デジタルテレビ受信装置
１０１：チューナ
１０２：デマルチプレクサ
１０３：映像音声デコーダ
１０４：音声出力部
１０５：画像データ入力部
１０６：画像処理部
１０７：ビデオメモリ
１０８：表示合成部
１０９：カードスロット
１１０：表示制御部
１１１：ユーザ入力部
１１２：表示器
１１３：記憶部
２０１：発光部
２０２；電源オン／オフ電源キー
２０３：カーソル＆決定キー
２０４：アップキー
２０５：ダウンキー
２０６：数字キー
２０７：カラーキー
２０８：モニタモードキー
２０９：ビューア・キー
６００：デジタルテレビ受信装置
６０１：チューナ
６０２：デマルチプレクサ
６０３：映像音声デコーダ
６０４：音声出力部
６０５：画像データ入力部
６０６：画像処理部
６０７：ビデオメモリ
６０８：表示合成部
６０９：カードスロット
６１０：表示制御部
６１１：ユーザ入力部
６１２：フォーマット変換部
６１３：記憶部
６１４：リモコン
６１５：表示器
６１６：モニタ制御部
６１７：表示デバイス
【図１】
2005175863.tif 000003
【図２】
2005175863.tif 000004
【図３】
2005175863.tif 000005
【図４】
2005175863.tif 000006
【図５】
2005175863.tif 000007
【図６】
2005175863.tif 000008
【図７】
2005175863.tif 000009
【図８】
2005175863.tif 000010
【図９】
2005175863.tif 000011
【図１０】
2005175863.tif 000012
【図１１】
2005175863.tif 000013
【図１２】
2005175863.tif 000014
【図１３】
2005175863.tif 000015
【図１４】
2005175863.tif 000016
【図１５】
2005175863.tif 000017
【図１６】
2005175863.tif 000018
【図１７】
2005175863.tif 000019
【図１８】
2005175863.tif 000020
【図１９】
2005175863.tif 000021
【図２０】
2005175863.tif 000022
【図２１】
2005175863.tif 000023